(57)【特許請求の範囲】
【請求項１】
バック本体の縦方向に設定された縦軸（１３）、を有するバッグ本体（１）を有し、該バッグ本体には内部空間（１１）が形成され、また該バッグ本体には前記縦軸（１３）の方向に伸延した側部（１２）が形成された、複数のゴルフクラブ収納用、ゴルフバッグにおいて、前記側部（１２）にゴルフクラブ（３）収納用の保持装置（２）を設け、前記クラブのクラブシャフト（３２）は、前記縦軸（１３）の方向に向いており、前記内部空間（１１）の外側に配置された保持装置（２）内にゴルフクラブを収納し、前記保持装置（２）内に保持されたゴルフクラブ（３）を、前記内部空間（１１）から離れて対向する側で自閉式カバーにより被覆し、前記バッグ本体（１）は同一の大きさを有する２つのシェル（１６）からなり、前記２つのシェル（１６）は、ヒンジ（７１）により、ヒンジ軸（７）に沿って共に回転自在に連結されており、ゴルフバッグを２つのシェル（１６）で使用したり、一つのシェル（１６）だけで使用したりすることが出来るように、一方のシェル（１６）は、他方のシェル（１６）から完全に分離することが出来、前記バッグ本体（１）は、その縦軸（１３）に対して平行に方向付けされたヒンジ軸（７）に沿って開口することが可能であり、それにより、内部空間（１１）にアクセスすることが出来るようにして構成したゴルフバッグ。
【請求項２】
前記ヒンジ（７１）は、組み立てられた状態のヒンジ（７１）のヒンジ軸（７）に沿って傘を入れることが出来るように、チューブを有しており、前記ヒンジ（７１）は、底部で閉じられている、請求項１記載のゴルフバッグ。
【請求項３】
前記ヒンジ（７１）には、連結片(受入片７２)が設けられ、これによりゴルフバッグを手押しカート（９）に取り外し自在に固定することが出来るように構成した、請求項１記載のゴルフバッグ。
【請求項４】
前記側部（１２）には、縦軸（１３）の方向に方向付けられ、且つ自閉式カバー（４）により個別的に被覆された逃げ部（５）が設けられ、それぞれ少なくとも１本のゴルフクラブ（３）を保持する保持装置（２）を前記逃げ部（５）内に配置して構成した、請求項１記載のゴルフバッグ。
【請求項５】
前記自閉式カバー（４）は、逃げ部（５）に保持されたゴルフクラブ（３）を、１５センチ以下、好ましくは１０センチ以下の長さに亘り被覆しない形で構成し、この被覆しない領域を介して前記保持装置（２）からゴルフクラブ（３）を取り出し得るように構成した、請求項１記載のゴルフバッグ。
【請求項６】
前記被覆しない領域を、ゴルフクラブヘッド（３３）或いはクラブグリップ（３１）のそれぞれに近接して配置した、請求項５記載のゴルフバッグ。
【請求項７】
保持装置（２）に、クラブシャフト（３２）をしっかりと固定する目的で、少なくとも１つのクリップ（２１）及び／又は少なくとも１つの固定部（２２）を設けて構成した、請求項１記載のゴルフバッグ。
【請求項８】
互いに隣接する保持装置（２）を、第１の保持装置（２）にゴルフクラブ（３）をそのヘッドを上にした位置で保持することが出来、また隣接する第２の保持装置（２）内のゴルフクラブを、そのヘッドを下にして固定することが出来るように設計して構成した、請求項１記載のゴルフバッグ。
【請求項９】
前記逃げ部（５）にリードインシュー（２２，２３）を設けて構成した、請求項１記載のゴルフバッグ。
【請求項１０】
ヒンジ（７１）に、ヒンジ部品の偶発的な分離から該ヒンジ部品を分離自在に固定する、固定手段を設けて構成した、請求項１記載のゴルフバッグ。
【発明の詳細な説明】
【０００１】
本発明は、メインクレームのプレアンブルに示すように、複数本のゴルフクラプ収納用ゴルフバッグに関する。
【０００２】
最近のゴルフバッグには、幾つかの問題点がある。ゴルフバッグに収納したクラブは、何らかの手当てを追加しないと、ゴルフバッグ内に固定することが出来ない。これにより、プレーヤーは、バッグ内に収納された多数のクラブから所望のクラブを選択するのが面倒である。従来のゴルフバッグでは、いいかげんにゴルフクラブを収納するため、ゴルフクラブの紛失は、かなり後になってから気付くか、全く気付かないのが通常である。
【０００３】
米国特許第５，０２９，７０３は、ゴルフバッグの挿入部に関して説明しており、該挿入部は、ゴルフバッグ内に、その開放上部に近接して設けることが可能である。ベース部を追加して設けることも可能であり、該ベース部はゴルフバッグの底部に挿入される。上部に配置される前記挿入部には、クラブシャフトを保持し得るクリップが設けられている。また、ベース部には、バッグ内に収納するゴルフクラブのクラブグリップ用座部となる逃げ部が設けられている。挿入部を追加して設けることにより、ゴルフバッグの内部を、縦方向に各種の仕切りを形成するように分割することも出来、これをゴルフククラブのウッド、アイアン、パター分類用に用いることも出来る。こうした構造により、プレーヤはゴルフバッグ内のゴルフクラブを規則正しくまとめることが出来る。しかしながら、これには雨よけが設けられていないという点で問題点が解決されていない。
【０００４】
それ故、本発明の目的は、常にゴルフクラブを規則正しく収納し、容易に、且つ難なくこれを引きぬくことが出来、使い勝手を損なわずに耐候性を高めることが出来、かつ、うまく利用しながらも、少なくなくとも従来のゴルフバッグと同等の保持収納容量を有するゴルフバッグを提示することである。
この目的は、特許請求の範囲第１項の特徴を備えたゴルフバッグによって達成される。
【０００５】
保持装置に保持されたゴルフクラブは、ゴルフバッグの内部空間外側に配置される。更に、自閉式カバーは、バッグの内部空間から向きを変えた側で、保持装置に保持されたゴルフクラブを被覆するために設けられる。こういった自閉式カバーは、該カバーが保持装置に保持された一本の、若しくは数本のゴルフクラブを被覆するように形成することが出来る。詳述すると、この種の自閉式カバーにより、側部に配置された全ての保持装置を、そこに保持されているかもしれないゴルフクラブと一緒に被覆することが出来る。しかし、このことは絶対に必要なことではなく、パター等の、たびたび使用するクラブを保持する保持装置にはカバーをつけなくてもよい。この保持装置は、クリップ、固定部、リードインシューズ（ａ
ｌｅａｄ−ｉｎ ｓｈｏｅ）等として形成することが出来る。
【０００６】
バッグ本体には、側部に従来のゴルフバッグと同様に固有の剛性をもたせて必要な形状安定がもたらされる。その予備として、カバー及び底部表面の両方にも固有の剛性をもたせることが可能である。代わりに、バッグ本体に、好ましくはバッグ本体の内部に設けられるフレームを設けて、これに剛性をもたせることも出来る。被覆しているが殆ど固有の剛性を持たず、かつ側部、上部及び底部表面を構成している布は、前記フレーム上で伸縮してもよい。
【０００７】
バッグ本体の側部に、該バッグ本体の縦軸の方向に方向づけられた逃げ部（窪み）を設けると、特に有利であることが証明されている。各逃げ部を、自閉式カバーにより、広く、より詳しくは完全に、被覆させることも出来る。少なくとも１本のクラブを保持する保持装置はそれぞれ、逃げ部内に配置されている。前記逃げ部が保持装置内に保持されたクラブを、バッグ本体の縦軸の方向に包囲するので、こういった逃げ部を設けることで特別な利点が生まれる。即ち、保持されたクラブを側部の逃げ部に殆ど完全に入れてしまうことが出来る。より詳しく言うと、本発明によるゴルフバッグは、逃げ部に保持したゴルフクラブに機械的荷重をかけないで、側部に支えられていることにより実現できる。好ましくは、該逃げ部は、バッグ本体の縦軸の方向で、側部の幅部分に伸延している。すると、逃げ部の残りの開口は、自閉式カバーにより被覆される。該カバーは、クラブを天候から保護することが好ましく、特にカバーを少なくとも防沫にする。
【０００８】
本発明によるゴルフバッグの耐候性及び運搬性能を更に向上させるために、自閉式カバーを耐候性被覆材でコーティングすることが可能である。このコーティングは、自閉式カバーを覆っている、耐候被覆材を用いた細長い布片の形で実現され、ファスナをはめ込むことにより開放可能な形で閉じることが出来る。閉じた状態では、前記コーティングは自閉式カバーを被覆し、特に、前記カバー内に設けることが出来るシーリングリップを被覆する。これにより、一方ではカバーを引き締め、また他方では、偶然保持装置から外れてしまったゴルフクラブが自閉式カバーから落ちないようにすることが出来る。これは、ゴルフバッグを持ち運ぶ際の決定的な利点となる。
【０００９】
保持クラブの領域には自閉式カバーを掛けず、該領域を、ゴルファがこの領域でクラブを容易く握ることが出来、且つ保持装置から容易く抜き取ることが出来るような大きさにすることにより、ゴルフクラブを、各保持装置から取り出す際の利点が生まれる。特に、カバーが掛けられていないクラブ領域を１５センチ以下、好ましくは１０センチ以下、但し５センチ以上にすることによりこれが達成される。このようにして、より詳しくは、各クラブヘッドや各クラブグリップに近接し配置されたグリップ領域若しくは埋込グリップ穴（窪んだグリップ用の穴）が得られる。
【００１０】
保持装置は、少なくとも１点で固定すべきクラブを保持し、好ましくは２点で保持する。これにより、保持装置には、クラブシャフトやクラブグリップをしっかりと固定する少なくとも１つのクリップが設けられていると好都合である。
これに代えて、若しくはこれに追加して、保持装置にはクラブヘッド、特にクラブフェースをしっかり固定するための少なくとも１つの固定部を設けることが出来る。前記固定部は、ウッド、アイアン、パター等の各種のクラブに適合させることが可能である。
【００１１】
この固定部は、各クラブのヘッドを収容する目的のために、バッグ本体のカバー面領域に設けると好都合である。該ヘッドをこの固定部に掛けることにより、このヘッドにより、対応するクラブを容易く見分けることが出来、かつ保持装置から容易く取り出すことが出来るのである。ユーザの利便性を高めるために、埋込グリップ穴（窪んだグリップ用の穴）を前記固定部に設ける。この固定部は、例えば、従来のゴルフバッグで知られているように、バッグ本体の開口上部に、カバー面として挿入される。この固定部は、好ましくは、保持された状態のクラブの内側に向いているヘッドを収納する。
【００１２】
第１の保持装置内ではクラブをそのヘッドを上にして保持し、隣接する第２の保持装置では、そのヘッドを下にして保持するように、互いに隣接する保持装置同士を設計することにより、本発明によるゴルフバッグに沿って荷重を分配した利点が生まれる。保持装置内にクラブを交互に配置するのは、ゴルフバッグに沿って荷重を均等に分配することを考慮に入れているからであり、これはバッグを自動車又は飛行機で運搬する際に特に好都合である。しかし、全てのクラブをそのヘッドを下にして配置しても、また全てのクラブをそのヘッドを上にして配置することも可能である。
【００１３】
ゴルフコースで実際に使用する際には、本発明のゴルフバッグの側部に、別の方法で保持クラブを配置させると好都合である。保持クラブの全てをクラブヘッドを下にして保持し、特に、その結果重心を低くした配置は、本発明によるゴルフバッグをキャディにより、また手引きカートにより運搬する際には幾つかの利点を有する。それ故、果たす役割に応じて、交互に配置したり、全てのクラブを同一の位置に配置したり、何れかを選択してクラブの配置を変えることが出来るということは、好都合である。
【００１４】
一般的に、本発明によるゴルフバッグは、その上部及び底部が同一であるような対照的デザインを有する。この一致は、一方でバッグ本体の形状に関連し、またもう一方では、上面及び底面用の考えられるカバーの外形に関連する。
ゴルフクラブは、０.９から１．２メートルの範囲内でその長さが相違するので、少なくとも一箇所において、バッグで運搬するクラブのあらゆる長さに必要な長さを有するクラブ保持装置を提供する形状を選択することが好ましい。こういったバッグ本体は、例えば、円筒形状、即ち丸い横断面を有していてもよい。上述した長さの分配をするために、上面を、円筒形本体の縦軸に対して９０°とは相違する角度で配置することが出来る。このようにして得たバッグ本体の形状は、先端を落した円柱を連想させる。この長さは、上面領域及び底面領域の両方において調節することが可能である。
【００１５】
本発明によるゴルフバッグの運搬性能を向上させるために、更に下方及び／又は上方に向いて開口した開口部をカバーに設けることが出来、この開口からクラブグリップを通過させてグリップに自由に近づくことが出来る。その結果、本発明によるゴルフバッグの寸法、特にその長さが短くなり、コンパクトカーのトランクでも容易に入れることが出来る。
【００１６】
本発明によるゴルフバッグを開放する際ヒンジに過大な荷重をかけないように、ヒンジの最大開口角度を制限し、可能な限りより大きな力を奪うためのストッパを設けることも出来る。緩衝装置を設けてもよい。
【００１７】
複数からなる個々の部品を持ち運ぶゴルフバッグの実用性を向上させるために、バッグ本体の内部を幾つかの仕切りに分割することが可能であり、詳しくは、該仕切りは、対応する種類に応じて設けることが出来る。また、内部空間の半分部分を、ジャケットやパンツ、好ましくは折りたたまれていないものをかけるため、全長に亘って使用することが出来る。
【００１８】
バッグ本体は、全く同一サイズの半分に２等分しなければならないわけではなく、非対称に分割することも出来、これは意味がある。特別な場合においては、３つ以上の仕切りに分割されたゴルフバッグを設けてもよい。
【００１９】
本発明によるゴルフバッグは、ゴルフコースに持っていくゴルフクラブを、固定した配列で収納することに配慮している。従って、ゴルフバッグを運搬する際、ゴルフクラブが乱れることがない。バッグ本体の側部に、若しくはその内部にゴルフクラブ用保持装置を配列する際には、保持装置は、主として、収納されているゴルフクラブがその全長に沿ってゴルフバッグから引く抜く必要がないのに、簡単に一方の側から取り出すことが出来るように設計されている。このことは、かなりユーザの利便性を向上させている。更に、バッグ本体の内部は、品物を保持するために広く、また全体に亘って使用することが出来る。バッグ本体の側部に収納されたゴルフクラブは自閉式カバーにより覆われているので、該カバーにしかるべく設計を施すことにより、収納されたゴルフクラブを天候から完全に保護することが可能である。更に、側部若しくは、側部に設けられた逃げ部を設計し、それに応じて保持すべきゴルフクラブを受け入れる際には、ゴルフクラブは完全に機械的に保護を受ける。詳述すると、逃げ部を形成するにあたっては、保持したクラブを完全に側部にすっぽりはめ込み、これにより、本発明によるゴルフバッグの側部が外部と衝突したり、若しくは、その上で一休みしたとしても、保持したゴルフクラブにかかる機械的荷重を最小に抑えることが出来る。
【００２０】
本発明によるゴルフバッグの特徴及び利点は、次に示す例示的な実施例の記述により更に明らかになるが、これは本発明の範囲を限定するものではない。また、これを図を参照して詳しく説明する。
【００２１】
第一に実現化した本発明によるゴルフバッグを、図１に概説する。ゴルフバッグのバッグ本体１は、縦軸１３を有する円筒形の中空部からなる。前記縦軸１３に平行に伸延する逃げ部（窪み）５は、その側部１２に挿入される。ゴルフクラブ３用保持装置２は、これら逃げ部５内に配置され、ゴルフクラブ３は、そのシャフト３２をバッグ本体１の縦軸１３に平行に方向付けして収納する。前記縦軸は、ここでは対称軸に相当する。各保持装置２は、ゴルフクラブ３のシャフト３２をしっかりと保持している２つのクリップ２１によって形成されている。下部クリップ２１は、収納するゴルフクラブのヘッド３３を保持する固定部２２と取り替えることも出来る。この固定部は、クラブヘッド３３をしっかりと固定する。しかしながら、これは図１には示されていない。
【００２２】
説明を明瞭にするため、図１は、２本のゴルフクラブ３に使用する保持装置２のみを示している。しかしながら、実際の利用に際しては、ゴルフクラブ３用の複数の保持装置２は、バッグ本体１の側部１２の全外周部１２１の周囲に、又はこの部分上に規則的、若しくは不規則的な間隔で配置することが出来る。より詳しくは、本発明によるゴルフバッグには、ゴルフクラブの最大許容本数(当面は、１４本)を収納することが出来る、多数のゴルフクラブ３用の保持装置が備えられている。
【００２３】
収納クラブ３のシャフト３２及びグリップ領域３１は、自閉式カバー４により被覆される。このカバー４は、例えば、柔軟で弾力を有するプラスチック材により構成することも出来る。図示した例では、このカバー４は、２つの二等分部分から構成され、これらは先端が互いに噛み合うか、若しくは互いに重なり合うことにより、少なくとも防沫状態となるようなっている。この２つの二等分部分４１は、それぞれチューブ状部材からなる。柔軟且つ伸縮性に富むためには、例えば、ゴムホース状部材を使用ことが望ましい。透明、若しくは半透明の部材を使用すると特に都合が良い。従って、より詳しく説明すると、前記部分の端部領域４１１は、近接するか、若しくはもう一方の上部に横たわり、シールリップ４２を設けて、そこから簡単に保持されたクラブ３を取り出すことができるように、二等分部分を形成する。図１では、２つの二等分部分４１の前記シールリップ４２は、破線によって示される。被覆部材は柔軟性があり、伸縮性に富むので、２つの二等分部分４１は、クラブを一旦取り出すと、基の位置に戻り、シーリングリップ４２の適宜な形状により、２つの二等分部分４１の接線に沿ってうまく密閉される。
【００２４】
また、図１に示すカバーは、１つの逃げ部５だけを、若しくは数個の逃げ部だけを被覆している場合もある。１つの逃げ部５に、２本以上のゴルフクラブ３を保持させることも可能である。
【００２５】
図示した実施例においては、本発明によるゴルフバッグの外周を小さくするために、全てのクラブヘッド３３はバッグ本体の縦軸１３方向に向いている。バッグの内部空間１１を広く取る目的のためには、クラブヘッド３３を、縦軸１３から外れた外側に向けることも意味がある。
【００２６】
はっきりと示してはいないが別の実施例においては、クラブヘッド３３は、バッグ本体１の側部１２上に、若しくはその中に特別に設けた固定部２２に挿入される。この固定部２２は、保持すべきクラブ３のヘッド３３をしっかりと受け入れるようにそれぞれ形成されている。これは、対応する中空空間を、例えば発泡ポリウレタン等の、特別な発泡プラスチックでコーティングし、その後、クラブヘッド３３のそれぞれをこの発泡プラスチック内で形どりして実現する。クラブヘッド３３用にこのような固定部２２を使用すると、クラブシャフト３２を保持するための少なくとも１つのクリップ２１は不要になる。
【００２７】
図１に開示した本発明によるゴルフバッグのバッグ本体１の改良版を、図２に概略的に図示する。バッグ本体１の側部１２は、逃げ部５は設けられていない。保持すべきゴルフクラブ３の保持装置２は、バッグ本体１の側部１２の外周部１２１に、規則的な間隔で配置される。本発明に従って設けられたカバー４は、図２には図示されていない。該カバーは、例えば図１の実施例におけるカバーと同様である。
【００２８】
側部１２のゴルフクラブ３を、必ずしも全てそのヘッド３３を下にして保持しなくてもよい。このようにゴルフクラブ３を配置すると、重心が非常に低い。これは、ゴルフコースで本発明によるゴルフバッグをキャディが運んだり、また手押しカートで引く場合は有利である。しかし、例えば、自動車や飛行機で、ゴルフクラブ３を入れた本ゴルフバッグを持ち運ぶ際には不都合なこともある。それ故、側部１２に設けられた保持装置２が、クラブ３をそのヘッドを上下に分けて収納することが出来れば好都合である。より詳しく説明すると、図２からもわかるように、隣接するクラブ３を、ヘッド部分を上下互い違いに配置すると好都合である。こうすることにより、本発明によるゴルフバッグに沿って荷重を均等に配分することが可能である。
【００２９】
図１に示す実施例とは違って、逃げ部５に保持されたクラブ３が、バッグ本体１の側部１２まわりの円周領域内に殆どすっぽりと入ってしまうように、側部１２の逃げ部５を形成することが出来る。この実施例の平面図を図３に図示する。バッグ本体１、詳しくは逃げ部５の間に設けられたリブ５１は、機械的に形成され、これにより逃げ部５内に保持されたクラブ３は、機械的な損傷から十分に保護される。本実施例のバッグ本体１は、例えばポリエチレンやＡＢＳ等のプラスチック部材から成り、より詳しくは、リブ５１に配置された複数の中空室３を設けるために軽重量構成となっている。
【００３０】
側部１２における逃げ部５内に保持されたクラブ３は、自閉式カバー４により天候から保護されている。既に上述したように、該カバー４は、２つの２等分部分４１からなり、それぞれ柔軟性を有し、伸縮性に富むプラスチック材から構成される。従って、これら二等分部分を形成する際、該二等分部分４１の重ね合わさった端部領域４１１は互いに斜めにすることで、少なくとも妨沫のシーリングリップ４２を形成することが出来る。
【００３１】
ゴルフクラブ３を引き抜くためには、そのシャフト３２は破線で示した、２つの二等分部分４１の接線／シーリングリップ４２に沿って容易く外される。ゴルフクラブ３を再び保持装置２にしまうためには、逆の操作を行ない、好ましくは、シーリングリップ４２は再び自動的に閉じられる。
【００３２】
図４は、図３に示したゴルフバッグの、Ａ−Ａ線に沿った断面図である。破線はバッグ本体１の縦軸１３を示し、該縦軸は、ここでもまた、対称軸を構成している。バッグ本体はコップのような形状を有しており、その上部は、バッグ本体１の形状に見合った蓋１４で被覆されている。上部から見て、該蓋１４は、保持クラブを完全に覆っていると好ましい。
【００３３】
保持されたクラブ３のクラブシャフト３２は、側部１２の逃げ部５内に完全に入っている。クラブヘッドは、内部空間１１に向いており、「コップ」の底部に設けられた中空空間５２内に完全に隠れている。その結果、保持されたクラブは、バッグの側部１２の円周領域内に完全に隠れている。この場合の円周領域は、詳しくは、側部１２の外周１２１を形成している。
【００３４】
クラブヘッド３３の固定部２２は、既に上述したようにして、即ち、中空空間５２を発泡プラスチック層で少なくとも部分的にコーティングして設けることが好ましい。このことは、図４の左側に示されており、ここでは、クラブ３はクリップ２１に保持されており、該クリップはクラブシャフト３２を保持しており、固定部２２内では、ヘッド３３が固定されている。
【００３５】
ゴルファが、クラブを引き抜いた保持装置にクラブを簡単に戻すことが出来るように、逃げ部５の下端部に挿入補助２３を設けると好都合である。該挿入補助は、ゴルフクラブ３をクリップで留める際、保持装置２内で、詳述すると、クリップ２１内でクラブ３を支持するのに役立っている。
【００３６】
図５は、図４に示すゴルフバッグの更に改良したものを図示している。この実施例においては、クラブヘッド３３は、好ましくは、それぞれ固定部２２として形成されたインサージョンシュー或いは揺り棒２４内で保持されている。各揺り棒２４は、回転軸２４１に沿って回転自在に支持され、これにより、図５右側に示すように、揺り棒２４が外側に移動するようになっている。より詳しくは、揺り棒に保持されたクラブが図５の矢印方向に移動することにより引く抜かれる際、これら揺り棒が、自動的に外側に移動するとよい。より詳しく言うと、揺り棒２４が外側に移動したとき、該揺り棒がクラブを保持しないで停止位置にいるように、揺り棒２４を設ける。従って、これは、回転軸２４１に関して揺り棒２４の荷重を分配することにより、若しくは、適宜なバイアス力を適用し得るバネ等の機械的手段を追加することにより達成することが出来る。
【００３７】
この結果、外側から十分に認識できる揺り棒２４の位置のおかげで主要な利点が生まれる。即ち、ゴルファは、各クラブ３が保持装置から取り出されたのか、或いは要するに紛失したかを即座に把握することが出来る。特に、これによりゴルファがコース上にクラブ３を忘れてしまうリスクを最小限に抑えることが出来る。これによりユーザの利便性をかなり高めることが出来る。
【００３８】
バッグ、より詳しくは、少なくとも部分的に空の状態のバッグを持ち運ぶ際、揺り棒２４が突出していることによるこの構成の欠点を避けるために、空の揺り棒２４を退避位置に拘束する手段を更に設けると都合がよい。より詳しくは、外側に回転した揺り棒２４を手で戻し、その後、前述した手段により自動で、若しくは、手動で拘束するようにしてもよい。
【００３９】
図６は、本発明によるゴルフバッグのバッグ本体１を示しており、該ゴルフバッグは、分割線に沿って組み立てられた２つのシェル１６若しくは２つの二等分部分から構成される。この２つの二等分部分は、ヒンジ軸７に沿って回転自在に共に連結される。これは、ジョイントとして、詳しくはヒンジとして機能する構成要素によって達成させることが好ましい。例えば、従来のヒンジを利用することも出来るが、しっかりした布切れやこれに類似するものも利用出来る。バッグ本体１の口径の角度にもよるが、ゴルフクラブ３用の保持装置２を、バッグ本体１の側部１２の外周部全体に亘っては設けず、ヒンジ周りの領域を自由に保つことも意味がある。
【００４０】
図７は、図６に示す本発明によるゴルフバッグのバッグ本体１を示す図であり、該バッグは開放状態にある。明らかに、一旦バッグを開放すると、ユーザは、あらゆる側が塞がれたバッグ本体１の内部にアクセス可能である。より詳しくは、図からもわかるように、内部は複数の仕切り若しくは複数のポケットに分割されている。バッグ本体の半分を長手方向に分割することにより、バッグの内部空間１１内に細長い収納空間を構成することが出来、この中に、例えばジャケットをかけることも出来る。バッグ本体１の２つの半分にそれぞれ設けられた仕切り１１１の仕切り壁が互いに対向し、かつバッグ本体を閉じたときそれらが接触するならば、バッグ本体２の安定性は高まる。
【００４１】
図８は、本発明によるゴルフバッグの側面図であり、該バッグのバッグ本体１は、例えば、丸い横断面を有し、バッグ本体１の縦軸１３に対して９０°とは相違する角度で配置された上部及び下部カバー面が設けられている。このように形成された側部１２は、縦軸１３の方向における最小値及び最大値間で絶え間なく変化する長さをもつ。これにより、種々の長さのゴルフクラブを、そのような場所に、或いは、適宜な長さ与えられた側部１２に配置することが可能となる。これにより、各クラブ３が突出し過ぎないようにすることが出来ると同時に、バッグを、円筒形のバッグ本体１よりもずっと小さく設計することが可能である。本発明によって設けられたカバー４は、わかりやすくするため、図８では省略しているが、該カバーは、例えば、図１と同様に設計することが出来る。
【００４２】
図８に図示したバッグの横断面を形成する際、円形とは異なる別の幾何学的形状もあり、バッグの径を大きくしないで、側部１２の円周部を大きくすることが出来る。
【００４３】
本発明によるバッグにフレームを設け、該フレームは剛性を有し、例えば、アルミニウム、スチール、グラスファイバ補強プラスチック、炭素繊維補強プラスチック等の、ロッド形状部材から構成されるときは、変動性をもたせることに関し特別な利点が生まれる。好ましくは、布が前記フレームに掛けられ、固定される。そして、前記布は、側部１２を構成する。構成要素がこの布面上で固定され、該構成要素は、そこに設けられた保持装置の逃げ部５の機能を果たし、前記保持装置を被覆するカバー４の機能をもつ。保持装置２に近づく開口、即ち、バッグ本体１の縦軸１３の方向に向いた溝穴が布面に設けれらる。持ち運び用に、布面をフレームから取り外すことが出来、ここで固定された構成要素及びここに保持されたゴルフクラブ３と一緒に、くるくる巻くことが出来る。
【００４４】
バッグのサイズを、持ち運ばなければならないクラブの数に合わせるために、剛性フレームは、異なる大きさに形成することが出来る。布面の大きさは、布の腹部（ウェブ）を裏返して、例えば、ファスナ等により、裏返し部分を該布面に連結させることにより変化させることが出来る。
【００４５】
図９及び図１０による実施例には、２つのシェル１６若しくは２つの二等分部分が設けられており、これらは方形の分割線１５上で連結する。各シェル１６はゴルフクラブ３を保持する。この実施例においては、２つのシェル１６は、ゴルフクラブ用座に関しては相違しないが、１つのベース本体における２つのシェル１６には、ゴルフクラブを収納する各種の可能性を持たせることが可能である。実際、このことはかなり好都合である。
【００４６】
シェル１６は、軽量な部材から構成される。選択すべき材料は、コンピュータマウスのために使用するマウスパッドに利用される材料、即ち、発泡材料の層によって補強された、若しくは硬化させた薄くて、しっかりした金属箔である。しかしながら、シェル１６は、薄いアルミニウムシート等のシート状スチール、射出成形したプラスチック材等からも構成することが出来る。
【００４７】
シェル１６は、バッグの外側からアクセス可能な収納領域、即ち、逃げ部５を有している。図９においては、ゴルフクラブを収納する３つの後部領域にのみ、自閉式カバー４が設けられており、あとの２つの前部領域にはそのような自閉式カバーは設けられていない。完成した実施例においては、前部座席にも自閉式カバーが設けられている。自閉式カバーは、柔軟性を有する金属片から構成され、図３の例示実施例と同様に組み立てられる。図３の二等分部分４１参照。
【００４８】
図９からわかるように、ゴルフクラブ３は、下方のグリップ３１で挿入される。この目的に適合させるために、シェル１６には、側壁２５によって密閉される下部受入空間が設けられる。この下部受入空間は、クラブ３を挿入する際の接合部として機能し、最初に挿入されたクラブの下端部が、クラブの上端部を保持装置２内に押し入れたとき再び抜け出てしまうのを防止している。側壁は、数センチの高さ、例えば５センチの高さを有する。
【００４９】
別の逃げ部５は、縦軸１３或いはヒンジ軸７に平行に向いている。該逃げ部の上部領域においては、逃げ部５が分割線１５に向けて内方に突出することにより、クラブのヘッド３３に十分な空間を提供している。これにより、自閉式カバー４は、該カバーが重なり合い、若しくは近接する上部領域において、シャフト３２用の穴４３を有するように設計されている。図９から明瞭なように、ヘッド３３は、前記穴４３から自由に突出する。これにより、各クラブ３を容易く見分けることが出来る。また、ヘッド３３をカバーで追加して覆うことも出来、該カバーにより、１つ１つのヘッド３３を全てその上部から覆う。
【００５０】
図１０からわかるように、２つのシェル１６は、ヒンジによって互いに連結される。このヒンジは、チューブ及びリングから構成される。その結果、その自由な内径は広いので、組立ててそこで固定したヒンジのヒンジ軸７に沿って傘を入れることが出来る。ヒンジ７１は、この目的に適合するため、底部で閉じられる。固定手段を設けることにより、ヒンジ部品が偶発的に分離してしまうような時でも、ヒンジを分離自在に固定させることが出来る。
【００５１】
図１０に示すように、ヒンジ７１は、リングによって包囲されたチューブ部分から形成され、該リングは、前記チューブ部分を左シェル１６上に保持する。右シェルは、その上に固定され、チューブ部分を包囲しているリングを有しているだけである。チューブ部の最下部を、図１０に示された手押しカートの構成要素である受入片７２上に置くことも出来る。前記受入片７２は、手押しカート９の車輪の軸に平行に方向付けられた軸のまわりを回転することが出来る。これにより、角度範囲は、略手押しカート９のハンドルに平行な受入片７２上に配置された容器の位置と、その垂直位置との間で機械的に予め決められる。
【００５２】
追加のゴルフクラブ用の保持器を、ヒンジ７１のチューブ上に固定し、若しくは、クリップで留めることが出来る。これら保持器は、後壁の後ろに配置される。これら保持器は、フレームによって共に連結させることも出来る。
図１０に示すように、例えばシェル１６上のベース部に、ボトル保持用の傾斜自在ラック８０を設けると、特に好都合であることが証明されている。
図１１は、２つのシェル１６の外形が図９及び図１０に示す実施例とは相違する実施例を図示しており、この実施例では、シェルには、並んで配置される５つの逃げ部５は設けられていない。各シェル１６は、ヒンジ軸７に対向する前部壁に設けられた２つの前端部逃げ部５、及び図９及び図１０による例示実施例における同図による実施例と同様の３つの逃げ部を有しており、一方のシェル１６は、もう一方のシェルと完全に分離することが出来る。この利点は、収納したクラブと共に、一方のシェル１６だけをゴルフコースに持っていくことが出来ることである。これは、例えば、冬の時期に好都合である。
【００５３】
例示した実施例に示すように、ベース本体１の２つのシェルは、対照的な設計としてデザインされる。この２つのシェル１６は、同一の型で成形することも出来る。
【００５４】
好ましい実施例においては、ヒンジ７１は、２つのシェル１６間の所定の相対的角度位置が確定したときだけ切り離し可能である。
【００５５】
側部として選択すべき材料は、ポリカーボネート、ＰＴＦ，ＰＴＦＥ等の硬質箔上に２ミリ厚の多孔質ゴムのコーティングを施したものである。
【００５６】
図１０からわかるように、逃げ部５の長さは、ヒンジ軸に向かうほど長くなる。換言すると、シェル１６の上端部は、斜め角度がつけられている。その結果、シェルには、異なる長さのクラブ３を収納することが出来る。
【００５７】
自閉式カバー４は、好ましくは、互いに対向するように配置された複数列からなるブラシ或いは、複数列からなるラバーリップとして形成され、或いは、中心軸のまわりを回転自在な、ゴム、金属片等の平らな細片から構成されており、閉じた状態において、隣接する細片が、互いに近接し、或いは互いに重なり合っている。自閉式カバーの穴４３は、保持装置の機能を果たすことも出来る。
【図面の簡単な説明】
図１は、本発明によるゴルフバッグの第１実施例を示す概略図である。
図２は、ゴルフクラブの収納構造を変えた、本発明によるゴルフバッグの別の実施例の斜視図である。
図３は、クラブが側部に設けられた逃げ部に収納された、本発明によるゴルフバッグの更に別の実施例の平面図であり、自閉カバーも示されている。
図４は、図３のＡ−Ａ線による断面図である。
図５は、図３のＡ−Ａ線による断面図であるが、これは本発明によるゴルフバッグの更に別の実施例のものである。
図６は、本発明によるゴルフバッグのバッグ本体の斜視図である。
図７は、図６のゴルフバッグの開放状態における斜視図である。
図８は、特殊な形状に形成されたバッグ本体を有する、本発明による別のバッグの側面図である。
図９は、２本のゴルフクラブが収納され、１本のゴルフクラブが取り出し位置に配置された、本発明によるゴルフバッグの別の実施例を示す斜視図である。
図１０は、開放され、分割されたベース本体の２つの２等分部分を示す、図９による実施例の図である。
図１１は、別の実施例による図１０と同様の斜視図である。
【図１】
0004806506.tif 000002
【図２】
0004806506.tif 000003
【図３】
0004806506.tif 000004
【図４】
0004806506.tif 000005
【図５】
0004806506.tif 000006
【図６】
0004806506.tif 000007
【図７】
0004806506.tif 000008
【図８】
0004806506.tif 000009
【図９】
0004806506.tif 000010
【図１０】
0004806506.tif 000011
【図１１】
0004806506.tif 000012